(57)【要約】【課題】非常時の救出に際して天井救出口の箇所にある天井照明を取り外すことなく救出スペースを容易に確保でき、乗りかご内の利用者の救出を迅速に行うことができるエレベータ用乗りかご天井照明装置を提供する。【解決手段】この天井照明装置は、天井救出口８（天井救出口カバー１１）領域の天井照明１０が天井に設置されているカバー１１の開閉操作と連動して可動する取り付け構造を持ち、ヒンジ１４を介してのカバー１１を開放する向きでは短尺リンク片１５及び長尺リンク片１６によるリンク機構が展開された状態で救出口８領域の照明１０を各スライドレール１２の案内により救出口８領域外へスライドさせて救出口８のスペースを確保し、ヒンジ１４を介してのカバー１１を閉じる向きではリンク片１５、１６によるリンク機構が折り込まれて救出口８領域の照明１０をレール１２の案内により救出口８領域内へスライドさせて通常位置とする。【選択図】図６
2016094292.tif 000002
【特許請求の範囲】
【請求項１】
建物に設備されるエレベータの昇降路における各階床間を昇降する乗りかごの天井に天井救出口領域を含めて取り付けられる複数の天井照明を備えたエレベータ用乗りかご天井照明装置において、
前記複数の天井照明における前記天井救出口領域の天井照明は、前記天井に設置されている天井救出口カバーの開閉操作と連動して可動する取り付け構造を持ち、当該天井救出口カバーの閉状態では当該天井照明を当該天井救出口領域内に位置させ、当該天井救出口カバーの開状態では当該天井照明を当該天井救出口領域外に位置させることを特徴とするエレベータ用乗りかご天井照明装置。
【請求項２】
請求項１記載のエレベータ用乗りかご天井照明装置において、
前記取り付け構造は、前記天井救出口カバーを外方へ開放できるように当該天井救出口カバーの外方面の一端側に設けられたヒンジと、前記天井救出口領域の天井照明を装着して当該天井救出口領域外に移動可能とするスライドレールと、前記天井救出口領域の天井照明と前記天井救出口カバーの一端側とに連結されたリンク機構と、により構成され、
前記天井救出口カバーの開閉操作と連動して前記天井救出口領域の天井照明が可動する際、前記ヒンジを介しての当該天井救出口カバーを開放する向きでは前記リンク機構が展開されて当該天井救出口領域の天井照明を前記スライドレールの案内により当該天井救出口領域外へスライドさせて天井救出口のスペースを確保し、当該ヒンジを介しての当該天井救出口カバーを閉じる向きでは当該リンク機構が折り込まれて当該天井救出口領域の天井照明を当該スライドレールの案内により当該天井救出口領域内へスライドさせて通常位置に戻すことを特徴とするエレベータ用乗りかご天井照明装置。
【請求項３】
請求項２記載のエレベータ用乗りかご天井照明装置において、
前記リンク機構は、互いに端部同士が回転可能に結合された長尺リンク片及び短尺リンク片から成り、当該長尺リンク片における当該短尺リンク片に対する結合側と反対側の端部が回転可能に前記天井救出口領域の天井照明の所定箇所に結合され、当該短尺リンクにおける当該長尺リンク片に対する結合側と反対側の端部が回転可能に前記天井救出口カバーの一端部に結合されたことを特徴とするエレベータ用乗りかご天井照明装置。
【発明の詳細な説明】
【技術分野】
【０００１】
本発明は、建物に設備されるエレベータの昇降路における各階床間を昇降する乗りかごの天井に取り付けられる複数の天井照明を備えたエレベータ用乗りかご天井照明装置に関する。
【背景技術】
【０００２】
従来、エレベータの乗りかごの天井照明は、点灯時の光ムラを考慮して天井面に対して均等に複数配置されており、非常時に開放される天井救出口の箇所にも重なる格好で配置されている。このため、乗りかごの利用者（乗客）への閉じ込め状態となった非常時の救出に際しては、作業員が乗りかごの天井に立って天井救出口カバーを開け、天井救出口を開放状態とした上で天井救出口の箇所にある天井照明を取り外し、天井救出口における救出スペースを確保している。
【０００３】
このような乗りかごの天井救出口カバーに係る周知技術として、救出口開閉蓋の開閉スペースについて省スペース化を図ることができ、天井部の上面の機器レイアウトの自由度をより向上させることができる「エレベータのかご室」（特許文献１参照）が挙げられる。
【先行技術文献】
【特許文献】
【０００４】
【特許文献１】特開２０１１−５１７０３号公報
【発明の概要】
【発明が解決しようとする課題】
【０００５】
上述した特許文献１に係る技術では、乗りかごの天井部の救出口開閉蓋を天井部の上面又は下面に沿って変位（スライド）可能な構造としたことにより、天井部の上面の機器レイアウトの自由度を向上させることができるものの、乗りかごの利用者への閉じ込め状態となった非常時の救出に際して、依然として作業員が乗りかごの天井に立って救出口開閉蓋を開け、天井部の救出口を開放状態とした上で救出口の箇所にある天井照明を取り外し、天井部の救出口における救出スペースを確保する必要があるため、こうした天井照明の取り外し作業が作業員にとって手間の掛かる負担になるだけでなく、取り外しの際に誤って乗りかご内に天井照明を落下させる危険性がある他、乗りかご内に閉じ込められた利用者が怪我をして緊急に救出する必要がある場合には迅速に救出を行うことができずに救出作業の妨げになってしまうという問題がある。
【０００６】
本発明は、このような問題点を解決すべくなされたもので、その技術的課題は、非常時の救出に際して天井救出口の箇所にある天井照明を取り外すことなく容易に救出スペースを確保でき、乗りかご内の利用者の救出を迅速に行うことができるエレベータ用乗りかご天井照明装置を提供することにある。
【課題を解決するための手段】
【０００７】
上記技術的課題を解決するため、本発明は、建物に設備されるエレベータの昇降路における各階床間を昇降する乗りかごの天井に天井救出口領域を含めて取り付けられる複数の天井照明を備えたエレベータ用乗りかご天井照明装置において、複数の天井照明における天井救出口領域の天井照明は、天井に設置されている天井救出口カバーの開閉操作と連動して可動する取り付け構造を持ち、当該天井救出口カバーの閉状態では当該天井照明を当該天井救出口領域内に位置させ、当該天井救出口カバーの開状態では当該天井照明を当該天井救出口領域外に位置させることを特徴とする。
【発明の効果】
【０００８】
本発明によれば、上記構成により、非常時の救出に際して天井救出口の箇所にある天井照明を取り外すことなく救出スペースを容易に確保でき、乗りかご内の利用者の救出を迅速に行うことができるようになる。上記した以外の課題、構成及び効果は、以下の実施形態の説明により明らかにされる。
【図面の簡単な説明】
【０００９】
【図１】本発明の実施例に係るエレベータ用乗りかご天井照明装置が適用されるエレベータ装置の概略構成を示した図である。
【図２】図１に示すエレベータ装置の乗りかごの外観を示した斜視図である。
【図３】図２に示す乗りかご内に適用された実施例に係る天井照明装置を含む通常時の天井救出口カバーの閉状態での天井の様子を示した平面図である。
【図４】図２に示す乗りかご内に適用された実施例に係る天井照明装置を含む非常時の天井救出口カバーの開状態での天井の様子を示した平面図である。
【図５】図３に示す通常時の天井救出口カバーの閉状態での天井照明装置における天井照明及び天井救出口カバーの取り付け構造の様子を一部破断にして示した天井救出口付近の断面図である。
【図６】図４に示す非常時の天井救出口カバーの開状態での天井照明装置における天井照明及び天井救出口カバーの取り付け構造の様子を一部破断にして示した天井救出口付近の断面図である。
【発明を実施するための形態】
【００１０】
以下、本発明のエレベータ用乗りかご天井照明装置について、実施例を挙げ、図面を参照して詳細に説明する。
【実施例】
【００１１】
図１は、本発明の実施例に係るエレベータ用乗りかご天井照明装置が適用されるエレベータ装置の概略構成を示した図である。
【００１２】
図１を参照すれば、このエレベータ装置は、建物に設備された略図する昇降路の多階床間で乗りかご１を昇降させると共に、昇降路の頂部の略図する機械室に設置された巻上機２の乗りかご用電動機におけるモータ軸に設けられたシーブに巻き掛けられた主ロープを介して乗りかご１が釣合い錘（カウンタウェイト）３と連結され、動作上において巻上機２の乗りかご用電動機の駆動によるシーブの回転に伴い、乗りかご１が釣合い錘３と共に互いに上下反対方向に昇降するシーソー方式が採用されている。因みに、乗りかご１の駆動方式は、ここで簡略的に説明した構成に限定されるものでなく、油圧方式等の他の方式を採用しても良い。
【００１３】
係るエレベータ装置の乗りかご１は、図２に示す外観の斜視図を参照すれば、出入口となるかごドア周囲の前側板４、かごドア上部の出入口上部枠５、かご室の側壁となる側板６、及び天井７で構成され、天井７における乗りかご１の背面寄りに箇所には非常時に利用者を救出するための天井救出口８が設置されている。本発明では、乗りかご１内の天井７に設けられる複数の天井照明のうち、天井救出口８領域に設けられる天井照明の取り付け構造を工夫し、非常時の救出に際して天井救出口８の箇所にある天井照明を取り外すことなく救出スペースを容易に確保できるようにすることを技術的課題とする。
【００１４】
図３は、乗りかご１内に適用された実施例に係る天井照明装置を含む通常時の天井救出口カバー１１の閉状態での天井７の様子を示した平面図である。また、図４は、乗りかご１内に適用された実施例に係る天井照明装置を含む非常時の天井救出口カバー１１の開状態での天井７の様子を示した平面図である。
【００１５】
図３を参照すれば、通常時の天井救出口カバー１１の閉状態での天井７には、乗りかご１の室内を照らす複数の天井照明９、１０を含む天井照明装置が配備され、この天井照明装置における天井照明９、１０は点灯時に乗りかご１の室内から見たときに光ムラを考慮して天井７の全面領域に対してほぼ均等に配置されている。但し、ここでの天井照明１０は、後文で詳述するように４本のスライドレール１２に装着され、各スライドレール１２に沿ってスライド可能な可動式構造となっており、天井救出口カバー１１を閉状態とした通常時には、図３に示されるように乗りかご１の天井７における天井救出口８の救出スペースを覆った天井救出口カバー１１に重なる領域（天井救出口８に重なる領域とみなして良い）に配置されている。また、天井救出口８（天井救出口カバー１１）領域以外の天井７に配備された天井照明９については、汎用的な固定式構造となっている。
【００１６】
これに対し、図４を参照すれば、天井救出口カバー１１を開状態とした非常時には、天井照明１０が各スライドレール１２に沿ってスライドされ、天井救出口カバー１１（天井救出口８）領域外へ移動して天井救出口８の全体が露呈（天井救出口カバー１１については端部のみが露呈）され、天井救出口カバー１１（天井救出口８）領域の天井照明１０を取り外すことなく天井救出口８のスペースが確保されるようになっている。以下は、このような天井救出口カバー１１（天井救出口８）領域の天井照明１０の天井救出口カバー１１の開閉操作と連動して可動する取り付け構造について説明する。
【００１７】
図５は、上述した図３に示す天井救出口カバー１１の閉状態での天井照明装置における天井照明１０及び天井救出口カバー１１の取り付け構造の様子を一部破断にして示した天井救出口８付近の断面図である。また、図６は、上述した図４に示す非常時の天井救出口カバー１１の開状態での天井照明装置における天井照明１０及び天井救出口カバー１１の取り付け構造の様子を一部破断にして示した天井救出口８付近の断面図である。
【００１８】
図５を参照すれば、天井救出口カバー１１の閉状態での天井照明装置における天井照明１０及び天井救出口カバー１１の取り付け構造は、天井救出口カバー１１を外方へ開放できるように天井救出口カバー１１の外方面の一端側に補強部材１３（天井７の所定箇所に配置される）を介在させて設けられたヒンジ１４と、天井救出口８（天井救出口カバー１１）領域の天井照明１０を装着して天井救出口８（天井救出口カバー１１）領域外に移動可能とする上述した複数のスライドレール１２と、天井救出口８（天井救出口カバー１１）領域の天井照明１０と天井救出口カバー１１の一端側とに連結された短尺リンク片１５及び長尺リンク片１６によるリンク機構と、により構成される。因みに、リンク機構では、長尺リンク片１６及び短尺リンク片１５の端部同士が互いに回転可能に結合されており、長尺リンク片１６における短尺リンク片１５に対する結合側と反対側の端部が回転可能に天井救出口８（天井救出口カバー１１）領域の天井照明１０の所定箇所に結合され、短尺リンク１５における長尺リンク片１６に対する結合側と反対側の端部が回転可能に天井救出口カバー１１の一端部に結合されている。
【００１９】
このような天井照明装置における天井照明１０及び天井救出口カバー１１の取り付け構造では、天井救出口カバー１１の開閉操作と連動して天井救出口８（天井救出口カバー１１）領域の天井照明１０が可動する際、図５に示されるようにヒンジ１４を介しての天井救出口カバー１１を閉じる向きでは短尺リンク片１５及び長尺リンク片１６によるリンク機構が折り込まれて天井救出口８（天井救出口カバー１１）領域の天井照明１０を各スライドレール１２の案内により天井救出口８（天井救出口カバー１１）領域内へスライドさせて通常位置とすることができる。
【００２０】
これに対し、図６に示されるようにヒンジ１４を介しての天井救出口カバー１１を開放する向きでは短尺リンク片１５及び長尺リンク片１６によるリンク機構が展開された状態で天井救出口８（天井救出口カバー１１）領域の天井照明１０を各スライドレール１２の案内により天井救出口８（天井救出口カバー１１）領域外へスライドさせて天井救出口８のスペースを確保できるようになる。この状態から再び天井救出口カバー１１を閉じれば、リンク機構が折り込まれて天井救出口８（天井救出口カバー１１）領域の天井照明１０が再度各スライドレール１２の案内により天井救出口８（天井救出口カバー１１）領域内へスライドされて通常位置に戻ることになる。
【００２１】
このように、実施例に係るエレベータ用乗りかご天井照明装置によれば、天井救出口８（天井救出口カバー１１）領域の天井照明１０が天井７に設置されている天井救出口カバー１１の開閉操作と連動して可動する取り付け構造を持ち、天井救出口カバー１１の閉状態では天井照明１０を天井救出口８（天井救出口カバー１１）領域内に位置させ、天井救出口カバー１１の開状態では天井照明１０を天井救出口８（天井救出口カバー１１）領域外に位置させることができるため、通常時は照明機能を果たし、非常時の救出時には天井救出口８の箇所にある天井照明１０をスライドさせて取り外しをすることなく救出スペースを容易に確保でき、乗りかご１内の利用者の救出を迅速に行うことができるようになる。この結果、従来のように非常時の乗りかご１内の利用者の閉じ込め救出に際して、作業員が天井照明１０を取り外す手間が掛からず、取り外しの際に誤って乗りかご１内に天井照明１０を落下させる危険性もなく、しかも乗りかご１内に閉じ込められた利用者が怪我をして緊急に救出する必要がある場合にも迅速に救出を行うことができるようになる。
【００２２】
尚、図５及び図６を参照して説明した実施例に係るエレベータ用乗りかご天井照明装置では、天井照明１０及び天井救出口カバー１１の取り付け構造におけるリンク機構が２つのリンク片の短尺リンク片１５及び長尺リンク片１６を結合した構成を例示したが、リンク機構は３つ以上のリンク片を結合した構成のものを適用することも可能である。また、図３及び図４では、天井照明１０を装着する天井７に設けたスライドレール１２の総数を４本とした場合を例示したが、天井照明１０を安定性良く支持できれば２本や６本等の他の数にしても良い。更に、図３及び図４では、天井７に配備される天井照明９、１０について、天井照明９が１つ、天井照明１０が２つの場合を例示したが、天井照明９、１０の総数は乗りかご１の大きさに応じて任意に設定されるものである。このように、本発明のエレベータ用乗りかご天井照明装置は、細部構成について種々変更することが可能であるため、実施例で開示した形態に限定されない。
【符号の説明】
【００２３】
１  乗りかご
２  巻上機
３  釣合い錘（カウンタウェイト）
４  前側板
５  出入口上部枠
６  側板
７  天井
８  天井救出口
９、１０  天井照明
１１  天井救出口カバー
１２  スライドレール
１３  補強部材
１４  ヒンジ
１５  短尺リンク片
１６  長尺リンク片
【図１】
2016094292.tif 000003
【図２】
2016094292.tif 000004
【図３】
2016094292.tif 000005
【図４】
2016094292.tif 000006
【図５】
2016094292.tif 000007
【図６】
2016094292.tif 000008